Podtech/llm-jp-corpus-v4-ja_patent huggingface dataset:
【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】
便器内へ洗浄水を供給する給水バルブと、尿流検出用の電波を発信する発信手段と、前記発信手段が発信した電波の反射波を受信する受信手段と、前記発信手段が発信した電波の周波数および前記受信手段が受信した電波の周波数に基づいた出力信号を生成するドプラーセンサと、前記ドプラーセンサからの出力信号のうち特定の周波数範囲のみを選択し出力する帯域通過フィルタと、前記帯域通過フィルタの出力信号の強度が一定の閾値以上であれば前記給水バルブを開放して前記便器内へ洗浄水を供給する尿流判定手段とを備えた便器洗浄装置において、前記帯域通過フィルタの出力信号に含まれるノイズを除去するノイズ除去手段として、ノッチフィルタまたは適応フィルタを設けたことを特徴とする便器洗浄装置。
【請求項２】
前記ノイズ除去手段が、周波数５０Ｈｚ〜２４０Ｈｚのノイズを除去する機能を有するものである請求項１に記載の便器洗浄装置。
【請求項３】
前記ノイズ除去手段として、前記ドプラーセンサの出力信号を一定時間間隔ごとに順番に記憶し、記憶した過去の前記出力信号を遅延して出力する遅延回路と、前記ドプラーセンサの出力信号と前記遅延回路の出力信号とに基づいて前記ドプラーセンサの出力信号に含まれるノイズを除去する適応フィルタとを設け、前記適応フィルタに、前記遅延回路が出力した過去の前記出力信号に基づいて現在の出力信号と逆位相信号を生成するディジタルフィルタと、前記ディジタルフィルタが生成する前記逆位相信号を前記ドプラーセンサの出力信号に加算して出力する信号加算回路と、前記信号加算回路の出力する信号の一部に基づいて前記ディジタルフィルタのフィルタ係数を更新するフィルタ係数更新手段とを設けた請求項１または２に記載の便器洗浄装置。
【請求項４】
前記適応フィルタに、前記給水バルブの開放中は前記フィルタ係数更新手段を停止させる機能を設けた請求項３記載の便器洗浄装置。
【請求項５】
前記フィルタ係数更新手段は、前記給水バルブの閉止中に前記適応フィルタの出力信号と乗算されるステップサイズμと、前記ステップサイズμに基づいて前記フィルタ係数の算出を行うフィルタ係数算出部とで構成され、前記給水バルブの開放中は前記ステップサイズμの代わりに０＜γ＜μの範囲内にあるステップサイズγを使用する機能を前記適応フィルタに設けた請求項３記載の便器洗浄装置。
【請求項６】
前記適応フィルタに、前記給水バルブの開放後は前記フィルタ係数を０にした後、前記給水バルブを閉止する機能を設けた請求項３記載の便器洗浄装置。
【請求項７】
前記適応フィルタに、前記給水バルブの開放後、一定時間内は前記尿流判定手段を停止する機能を設けた請求項３記載の便器洗浄装置。
【手続補正２】
【補正対象書類名】明細書
【補正対象項目名】００１１
【補正方法】変更
【補正の内容】
【００１１】
本発明の便器洗浄装置は、便器内へ洗浄水を供給する給水バルブと、尿流検出用の電波を発信する発信手段と、発信手段が発信した電波の反射波を受信する受信手段と、発信手段が発信した電波の周波数および受信手段が受信した電波の周波数に基づいた出力信号を生成するドプラーセンサと、ドプラーセンサからの出力信号のうち特定の周波数範囲のみを選択し出力する帯域通過フィルタとを備え、帯域通過フィルタの出力信号の強度が一定の閾値以上であれば給水バルブを開放して便器内へ洗浄水を供給する尿流判定手段とを備えた小便器洗浄装置において、この帯域通過フィルタの出力信号に含まれるノイズを除去するノイズ除去手段として、ノッチフィルタまたは適応フィルタを設けたことを特徴とする。
【手続補正３】
【補正対象書類名】明細書
【補正対象項目名】００１２
【補正方法】変更
【補正の内容】
【００１２】
このような構成とすることにより、帯域通過フィルタの出力信号に含まれるノイズ、すなわち、前記ドプラーセンサの受信手段が誤って受信した、反射波以外の電波に起因するノイズを除去することが可能となり、帯域通過フィルタの出力信号は尿流の有無を確実に捉えた信号となるため、蛍光灯などからのノイズによって給水バルブが誤動作することがなくなり、洗浄水の無駄をなくすことができる。なお、発信手段が発信した電波の周波数および受信手段が受信した電波の周波数に基づいてドプラーセンサが生成する出力信号としては、例えば、発信手段が発信した電波の周波数と受信手段が受信した電波の周波数との差分に応じた出力信号（ 差分信号） を用いることができるが、前述した電波の周波数に基づいて検波信号を生成する構成とすることもできる。
ここで、ノッチフィルタを設ければ、対象とする周波数帯域内の予め知り得る一つの周波数に振幅のピークがあるノイズに対して優れた除去機能を発揮する。また、適応フィルタを設ければ、ノイズの周波数を予め知り得ない場合においてもノイズの発生状況に応じて的確にノイズ除去を行うことができる。
【手続補正４】
【補正対象書類名】明細書
【補正対象項目名】００１３
【補正方法】削除
【補正の内容】
【手続補正書】
【提出日】平成16年4月8日(2004.4.8)
【手続補正１】
【補正対象書類名】明細書
【補正対象項目名】００３２
【補正方法】変更
【補正の内容】
【００３２】
また、噴出部(５)の先端による封印部(２４)の破断の位置合わせを正確なものとし、噴出部(５)と収納室(２１)との連通を確実なものとするために、押釦(１２)は、収納室(２１)の下端に、ステム(４)を密接に導入可能な筒状の導入部(２５)を設けている。この導入部(２５)へステム(４)の先端部を導入する事により、押釦(１２)とステム(４)とが確実に係合するので、押釦(１２)がステム(４)の押圧を安定して行う事も可能となる。更に、導入部(２５)の内周とステム(４)の外周とが密着する事により、噴出部(５)と収納室(２１)との連通部分からのエアゾール内容物の漏れを防ぐ事ができる。


【手続補正２】
【補正対象書類名】明細書
【補正対象項目名】００４０
【補正方法】変更
【補正の内容】
【００４０】
また、キャップ(２８)は、図１１に示す如く、円筒状の外周部(３２)と底部(３３)とで断面コ字型の回収部(３４)を形成し、この回収部(３４)には、噴射ノズル(１８)から排出される高粘度物(２３)を収納可能としている。また、キャップ(２８)は、回収部(３４)の開口部(３５)側及び底部(３３)側のどちらの向きからも押釦(１２)の接続部(３１)に接続可能としている。そして、外周部(３２)は、中央部の外面に水平に突出して係止鍔(３６)を設けるとともに、この係止鍔(３６)を挟んで一対の係合突条(３７)(３８)を環状に形成している。また、押釦(１２)の接続部(３１)は、内周面の上端側を環状に突設して、係合突条(３７)(３８)の何れかを係合可能な係合受部(４０)を設けている。


【手続補正３】
【補正対象書類名】明細書
【補正対象項目名】００４３
【補正方法】変更
【補正の内容】
【００４３】
そして、エアゾール内容物を噴射する際は、キャップ(２８)をいったん接続部(３１)から取り外し、図７に示す如く、開口部(３５)を噴射ノズル(１８)側に配置してキャップ(２８)を再び接続部(３１)に接続する。この取り外しの際は、係止鍔(３６)を摘んでキャップ(２８)を持ち上げる事により、簡単に取り外す事ができる。また、接続時は、係止鍔(３６)を接続部(３１)の上端に水平に係合するとともに、開口部(３５)側の係合突条(３８)を接続部(３１)の係合受部(４０)に係合する。
【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成された網板と、該網板を前記粒状濾過材に常に押圧する弾性体とを更に備えて、前記粒状濾過材を隙間なく固定状態に保持するようにしたことを特徴とする浴水浄化循環装置における濾過装置。
【請求項２】
浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成された流入側網板と、前記濾過装置の内側の流出口側に配置されて、前記濾過装置の内側の流出口に空隙部を設けて配置されて浴水が通過するための多数の小径孔が形成された流出側網板と、該流出側網板と前記流入側網板との間の前記粒状濾過材を常に押圧する弾性体とを更に備えて、前記粒状濾過材を隙間なく固定状態に保持するようにしたことを特徴とする浴水浄化循環装置における濾過装置。
【手続補正２】
【補正対象書類名】明細書
【補正対象項目名】０００４
【補正方法】変更
【補正の内容】
【０００４】
【課題を解決するための手段】
そこで発明者は、前記課題を解決すべく、鋭意，研究を重ねた結果、その発明を、浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成された網板と、該網板を前記粒状濾過材に常に押圧する弾性体とを更に備えて、前記粒状濾過材を隙間なく固定状態に保持するようにした浴水浄化循環装置における濾過装置としたことにより、濾過装置の方向が何れであっても、粒状濾過材が流速力にて暴れることがなく、整然としてセットでき、前記の課題を解決したものである。
【手続補正３】
【補正対象書類名】明細書
【補正対象項目名】００１１
【補正方法】変更
【補正の内容】
【００１１】
【発明の効果】
請求項１の発明においては、浴槽２０から浴水を汲み上げて浄化して浴槽２０に戻すための循環管路４中に循環ポンプ１と浴水を濾過して浄化するための濾過装置を設けた浴水浄化循環装置において、前記濾過装置は、前記循環管路４に接続された流入口と流出口とが夫々設けられたユニット本体５と蓋体６とを備え、前記濾過装置の内部に粒状濾過材１２を充填すると共に、前記濾過装置の内側に浴水の移動方向に移動可能に配置されて、前記粒状濾過材１２を保持すると共に浴水が通過するための多数の小径孔が形成された網板と、該網板を前記粒状濾過材１２に常に押圧する弾性体８とを更に備えて、前記粒状濾過材１２を隙間なく固定状態に保持するようにした浴水浄化循環装置における濾過装置としたことにより、従来のように縦型で上から浴水が流入するものではなく、その崩れやすい粒状濾過材１２であったとしても、該粒状濾過材１２を弾性体８にて常時押圧するようになり、活性炭、セラミックボール等の軽い粒状の濾材なる粒状濾過材１２をを確実に固定することができ、水流により粒状濾過材１２が暴れ、濾材同士が擦れ合うことにより、濾材に付着した汚れ、または濾材自体の磨耗粉が濾過ユニットＡ内より浴槽２０内に流出してしまうことを防止することができる。また、濾過ユニットを縦、横、斜め等自由な角度で配置することができる。
【手続補正４】
【補正対象書類名】明細書
【補正対象項目名】００１２
【補正方法】変更
【補正の内容】
【００１２】
請求項２の発明においては、浴槽２０から浴水を汲み上げて浄化して浴槽２０に戻すための循環管路４中に循環ポンプ１と浴水を濾過して浄化するための濾過装置を設けた浴水浄化循環装置において、前記濾過装置は、前記循環管路４に接続された流入口と流出口とが夫々設けられたユニット本体５と蓋体６とを備え、前記濾過装置の内部に粒状濾過材１２を充填すると共に、前記濾過装置の内側に浴水の移動方向に移動可能に配置されて、前記粒状濾過材１２を保持すると共に浴水が通過するための多数の小径孔１０ｄが形成された流入側網板１０と、前記濾過装置の内側の流出口側に配置されて、前記濾過装置の内側の流出口に空隙部を設けて配置されて浴水が通過するための多数の小径孔１１ｄが形成された流出側網板１１と、該流出側網板１１と前記流入側網板１０との間の前記粒状濾過材１２を常に押圧する弾性体８とを更に備えて、前記粒状濾過材１２を隙間なく固定状態に保持するようにした浴水浄化循環装置における濾過装置としたことにより、仮に、粒状濾過材１２が可なり大きく崩れるようなことがあっても、粒状濾過材１２の暴れ等を確実に防止できる利点がある。
【手続補正５】
【補正対象書類名】明細書
【補正対象項目名】００１３
【補正方法】削除
【補正の内容】
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
２個の接合部材（１）（２）の突合せ部（３）又は重合せ部に回転するプローブ（12）を挿入し、プローブとの接触部を摩擦熱にて軟化させ撹拌しながら、プローブ挿入状態で、プローブ（12）を突合せ部又は重合せ部に沿って移動させ、あるいはプローブ（12）が順次突合せ部（３）又は重合せ部を通過するように接合部材（１）（２）を移動させることにより、接合部材（１）（２）の突合せ接合又は重ね接合を行うものとなされた摩擦撹拌接合装置であって、
前記プローブ（12）により接合された接合部（４）を加圧する矯正ローラ（50）が設けられていることを特徴とする摩擦撹拌接合装置。
【請求項２】
上記矯正ローラは、加圧機構を備えた回転自在なローラである請求項１に記載の摩擦撹拌接合装置。
【請求項３】
前記矯正ローラは、上下一対の円柱状ローラであり、互いに両接合部材（１）（２）の平板部（１ａ）（２ａ）の厚さ方向に対向する態様にして配置されていることを特徴とする請求項１または２に記載の摩擦撹拌接合装置。
【請求項４】
前記矯正ローラは、両者の隙間が平板部（１ａ）（２ａ）の厚さより若干小さく設定され、上下矯正ローラ（５０）（５１）間に通される両接合部材（１）（２）を軽く圧延し、両接合部材（１）（２）を接合部（４）において矯正して平坦状にしうるものとなされていることを特徴とする請求項３に記載の摩擦撹拌接合装置。
【請求項５】
両接合部材（１）（２）の移動方向における前記上矯正ローラ（５０）の後方近傍に、冷却装置の冷却媒体噴射用ノズル（６０）が、その噴射口を接合部（４）に向ける態様にして固定配置されている請求項１ないし４のいずれか１に記載の摩擦撹拌接合装置。
【請求項６】
２個の接合部材（１）（２）の突合せ部（３）又は重合せ部に回転するプローブ（１２）を挿入し、プローブとの接触部を摩擦熱にて軟化させ撹拌しながら、プローブ挿入状態で、プローブ（１２）を突合せ部又は重合せ部に沿って移動させ、あるいはプローブ（１２）が順次突合せ部（３）又は重合せ部を通過するように接合部材（１）（２）を移動させることにより、接合部材（１）（２）の突合せ接合又は重ね接合を行うものとなされた摩擦撹拌接合方法であって、前記プローブ（１２）により接合された接合部（４）を矯正ローラにより加圧することを特徴とする摩擦撹拌接合方法。
【請求項７】
前記矯正ローラによる加圧により接合部の歪みを除去する請求項６に記載の摩擦撹拌接合方法。
【請求項８】
前記矯正ローラは、上下一対の円柱状ローラであり、前記矯正ローラによる加圧は、互いに両接合部材（１）（２）の平板部（１ａ）（２ａ）の厚さ方向に対向する態様にして配置された前記上下矯正ローラにより行われることを特徴とする請求項６または７に記載の摩擦撹拌接合方法。
【請求項９】
前記矯正ローラは、両者の隙間が平板部（１ａ）（２ａ）の厚さより若干小さく設定され、上下矯正ローラ（５０）（５１）間に通される両接合部材（１）（２）を軽く圧延し、両接合部材（１）（２）を接合部（４）において矯正して平坦にすることを特徴とする請求項６ないし８のいずれか１に記載の摩擦撹拌接合方法。
【請求項１０】
両接合部材（１）（２）の移動方向における前記上矯正ローラ（５０）の後方近傍に設置された、冷却装置の冷却媒体噴射用ノズル（６０）により、接合部を強制冷却することを特徴とする請求項６ないし９のいずれか１に記載の摩擦撹拌接合方法。
【請求項１１】
２個の接合部材の相互突合せ部に厚肉部を形成した接合部材を用いて接合し、接合部をローラにより加圧する請求項６ないし１０のいずれか１に記載の摩擦撹拌接合方法。
【請求項１２】
請求項６ないし１１のいずれか１に記載の摩擦撹拌接合方法により接合された接合品。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
接合部材（70）（70）の接合予定部位（74）に回転するプローブ（12）を挿入し、プローブとの接触部を摩擦熱にて軟化させ撹拌しながら、プローブ（12）を挿入状態で接合線方向に移動させることにより接合部材（70）（70）を接合一体化する摩擦撹拌接合法に用いられる摩擦撹拌接合装置（１）であって、
前記プローブ（12）を有する接合工具（10）と、
該接合工具（10）が取り付けられる本体（20）と、
該本体（20）を接合部材（70）に取外し可能に固定する固定装置（60）とを備え、
前記接合工具（10）が、プローブ（12）を挿入方向に移動させる第１移動機構（40）、及びプローブ（12）を接合線方向に移動させる第２移動機構（50）を介して前記本体（20）に取り付られてなることを特徴とする摩擦撹拌接合装置。
【請求項２】
接合部材（70）（70）の接合予定部位（74）に回転するプローブ（12）を挿入し、プローブとの接触部を摩擦熱にて軟化させ撹拌しながら、プローブ（12）を挿入状態で接合線方向に移動させることにより接合部材（70）（70）を接合一体化する摩擦撹拌接合法に用いられる摩擦撹拌接合装置（１）であって、
前記プローブ（12）を有する接合工具（10）と、
該接合工具（10）が取り付けられる本体（20）と、
該本体（20）を接合部材（70）に取外し可能に固定する固定装置（60）とを備え、
前記接合工具（１０）が傾斜板（３０）に固定状態に取り付けられると共に、この傾斜板（３０）が昇降板（４０）に接合工具（１０）の回転子（１１）軸線（Ｑ）の傾斜角度が可変になるように取り付けられ、更にこの昇降板（４０）がスライド板（５０）に昇降可能に取り付けられると共に、このスライド板（５０）が前記本体（２０）にスライド可能に取り付けられてなることを特徴とする摩擦撹拌接合装置。
【請求項３】
前記接合工具（１０）は、ギヤード電動モータ（１３）に取り付けられた径大の円柱状回転子（１１）と、該回転子（１１）の端部軸線（Ｑ）上に一体に設けられた径小のピン状プローブ（１２）とを有し、前記ギヤードモータ（１３）の駆動力により回転子（１１）を回転させることでプローブ（１２）も回転させうるものとなされている請求項１または２に記載の摩擦撹拌接合装置。
【請求項４】
前記本体（２０）は、帯板状の台座部（２１）と、該台座部（２１）にその長さ方向に沿って垂設された立上り板部（２２）とを有し、前記立上り板部（２２）の前壁には、スライドガイド用凸条（２３）が、その長さ方向を接合線方向と平行になる態様にして突設されてなる請求項１ないし３のいずれか１に記載の摩擦撹拌接合装置。
【請求項５】
前記スライド板（５０）は、その後壁に設けられた溝条（５１）が前記本体（２０）のスライドガイド用凸条（２３）にスライド可能に係合して、手動にて接合線方向にスライド移動しうるものとなされている請求項４に記載の摩擦撹拌接合装置。
【請求項６】
前記昇降板（４０）は、周面に螺旋溝が刻まれた上下方向に伸びる螺旋孔（４１）を有し、この螺旋孔（４１）に前記スライド板（５０）に回転可能に取り付けられている螺旋棒（４２）が螺合状態に挿入されており、この螺旋棒（４２）をそのハンドル（４３）で手動にて右回り又は左回りに回転させることにより、昇降移動しうるものとなされている請求項２ないし５のいずれか１に記載の摩擦撹拌接合装置。
【請求項７】
前記傾斜板（３０）は、ネジ挿通孔を有すると共に、このネジ挿通孔に挿通された止めネジ（３１）（３１）の先端部が前記昇降板（４０）の円弧溝（４５）（４５）に嵌まって該円弧溝（４５）（４５）の形状に沿うように案内されるものとなされており、傾斜板（３０）に取り付けられた接合工具（１０）の回転子（１１）軸線（Ｑ）の傾斜角度が、所望角度になったときに止めネジ（３１）（３１）を締め付けることで、その傾斜角度が固定されるものとなされている請求項２ないし６のいずれか１に記載の摩擦撹拌接合装置。
【請求項８】
前記固定装置（６０）は、真空吸着を利用した固定装置である請求項１ないし７のいずれか１に記載の摩擦撹拌接合装置。
【請求項９】
前記固定装置（６０）は、前記本体（２０）の台座部（２１）底面周縁部に、真空用パッキン（６０）が方形リング状に一体に取り付けられ、接合部材（７０）と台座部（２１）の間に浅い皿状の真空室（６１）が形成されるものとなされ、真空ポンプ（６４）による真空引きにより、前記真空室（６１）が減圧されるものとなされている請求項８に記載の摩擦撹拌接合装置。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
複数の金属層構成部材が厚さ方向に重ね合わされて接合された金属製積層接合体であって、
重ね合わされた金属層構成部材の積層境界面に回転するプローブを挿入することにより、積層境界面が摩擦撹拌接合されてなることを特徴とする金属製積層接合体。
【請求項２】
前記金属層構成部材のうち少なくとも２個は平面形状が異なっている請求項１に記載の金属製積層接合体。
【請求項３】
前記金属層構成部材のうち少なくとも２個は材種が異なっている請求項１または２に記載の金属製積層接合体。
【請求項４】
前記複数の金属層構成部材が３枚である請求項１ないし３のいずれか１に記載の金属製積層接合体。
【請求項５】
幅の異なる３枚の金属層構成部材（２０）（２１）（２２）の幅方向の一端面及び長さ方向の両端面を揃えた状態で幅の狭い順に重ね合わされ、プローブ（３１）を、金属層構成部材（２０）（２１）（２２）に挿入することにより、積層境界面が摩擦撹拌接合された金属製積層接合体。
【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
第１ワークの一方の面に溝が設けられ、この溝に第２ワークを嵌合し、第１ワークのもう一方の面がわから摩擦撹拌用プローブを第２ワークの肉に及ぶように作用せしめ、第１ワークと第２ワークとを摩擦撹拌接合することを特徴とする摩擦撹拌接合による継手の形成方法。
【請求項２】
撹拌用プローブの直径が前記溝の幅よりも大きい請求項１に記載の摩擦撹拌接合による継手の形成方法。
【請求項３】
プローブを両ワークのコーナー部のギリギリのところまで挿入して摩擦撹拌接合を行う請求項１または２に記載の摩擦撹拌接合による継手の形成方法。
【請求項４】
前記第２ワークの溝嵌合部が同第２ワークの本体部よりも厚肉である請求項２または３に記載の摩擦撹拌接合による継手の形成方法。
【請求項５】
第２ワークの厚肉の溝嵌合部は、第２ワークを第１ワークの溝に嵌合した状態でその一部が溝の外方に突出されるものとなされている請求項１ないし４のいずれか１に記載の摩擦撹拌接合による継手の形成方法。
【請求項６】
第１ワーク及び第２ワークがいずれもアルミニウム材である請求項１ないし５のいずれか１に記載の摩擦撹拌接合による継手の形成方法。
【請求項７】
請求項１なし６のいずれか１に記載の摩擦撹拌接合による継手の形成方法により形成された継手。
【請求項８】
請求項１なし６のいずれか１に記載の摩擦撹拌接合による継手の形成方法により形成された継手を有する構造材。
【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
第１ワークと第２ワークとを突き合わせ、該突き合わせ部において摩擦撹拌用プローブを両ワークの肉に及ぶように作用せしめ、両ワークを接合する摩擦撹拌接合によるワークの接合方法であって、
両ワークに、それらの突き合わせ縁部において、互いに係合しあって両ワークの突き合わせ部の開きを阻止するフック部が一体成形され、該フック部同士を係合させた状態で両ワークの上記接合を行うことを特徴とする摩擦撹拌接合によるワークの接合方法。
【請求項２】
両ワークの突き合わせ縁部が厚肉に形成され、前記各フック部がこの厚肉部の一方の面に溝を設けて形成されている請求項１に記載の摩擦撹拌接合によるワークの接合方法。
【請求項３】
前記フック部がＬ字状のフック部に形成されている請求項１または２に記載の摩擦撹拌接合によるワークの接合方法。
【請求項４】
前記Ｌ字状フック部の先端部は、半円弧状の曲面に成形されている請求項３に記載の摩擦撹拌接合によるワークの接合方法。
【請求項５】
第１ワーク、第２ワークは、アルミニウム製押出形材からなる請求項１ないし４のいずれか１に記載の摩擦撹拌接合によるワークの接合方法。
【請求項６】
請求項１ないし５のいずれか１に記載の摩擦撹拌接合によるワークの接合方法により接合された突合せ継手。
【請求項７】
請求項１ないし５のいずれか１に記載の摩擦撹拌接合によるワークの接合方法により接合されたアルミニウム接合構造材。
【請求項８】
第１ワークと第２ワークがアルミニウム製押出形材からなるリブ付き床材を複数並列状態に配置して突き合わせた請求項５に記載の突合せ継手からなる床。
【手続補正書】
【提出日】平成16年2月3日(2004.2.3)
【手続補正１】
【補正対象書類名】明細書
【補正対象項目名】００２０
【補正方法】変更
【補正の内容】
【００２０】
【発明の実施の形態】
本発明におけるインク受容層は、カチオン性アクリル系樹脂および造膜性を有するアクリル系樹脂を含む。


【手続補正２】
【補正対象書類名】明細書
【補正対象項目名】００４７
【補正方法】変更
【補正の内容】
【００４７】
また、インクの粘度は、Ｒ型粘度計で測定される２５℃における粘度が１〜２０ｍＰ・ｓ、好ましくは１〜１５ｍＰ・ｓ、より好ましくは１〜５ｍＰ・ｓであり、表面張力が２０ｄｙｎ／ｃｍ以上、好ましくは２０〜６５ｄｙｎ／ｃｍ、より好ましくは３０〜６５ｄｙｎ／ｃｍである。また、インクの密度は約１ｇ／ｃｍ３またはその付近にあるのがよい。


【手続補正３】
【補正対象書類名】明細書
【補正対象項目名】００５２
【補正方法】変更
【補正の内容】
【００５２】
1999028861.tif 000001
形成されたインク受容層における、カチオン性アクリル系樹脂と、造膜性を有する（自己架橋型の）アクリル系樹脂との割合は、重量比でおよそ４．３：５．７であり、また充填剤としての合成シリカの、インク受容層の総量に対する含有割合は、５０重量％であった。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
懸架装置を有するシャシ(1)と、このシャシ(1)に横側に取付けられた少なくとも２つのホイール連結システムとを有し、シャシ(1)はこのシャシ(1)に対する基準を形成する前後方向の垂直面を規定し、車両の走行方向はこの前後方向面に平行であり、各ホイール連結システムはサスペンション装置を介して支持部材(5)に取付けられたホイール(2)を有し、ホイール(2)は互いに独立した支持部材(5)に対して変位可能で、この変位がサスペンション装置の垂直移動に十分なストロークでホイールの面に対して平行に起こる車両において、
各支持部材(5)はキャンバ機構を介してシャシ(1)に取付けられ、このキャンバ機構は上記垂直面に対してほぼ平行な支持軸を介して支持部材(5)に取り付けられたアーム(70)とロッド(75)とを有し、このロッド(75)はアーム(70)に対して横方向に変位して対応するホイール(2)のキャンバ角を変えることができ、前後方向の垂直面に対して各ホイール(2)の面を傾けてホイール(2)の面に所望の大きさのキャンバ角を与え、それによって全てのホイール(2)を路面に対して同じ方向に傾け、
アーム(70)は支持部材(5)が走行方向に平行に運動できるようにする水平サスペンション装置を介してシャシ(1)に取り付けられている、
ことを特徴とする車両。
【請求項２】
車両に加わる横方向加速度を評価できる少なくとも１つのパラメータ値を記録するための少なくとも１つのセンサーと、記録された値の関数として各キャンバ角の幅を計算する計算手段とを有し、上記キャンバ機構が上記計算手段の制御下で動作する制御手段を有する請求項１に記載の車両。
【請求項３】
アーム(70)がシャシ(1)に対して前後方向軸線の周りに傾かない状態でシャシ(1)に取り付けられていて、シャシ(1)が支持する懸架重量をアーム(70)を介して支持部材(5)へ伝達する請求項１または２に記載の車両。
【請求項４】
各ホイール連結システムがホイール(2)を支持するハブとこのハブの回転軸を規定するホイールキャリアとを有し、このホイールキャリアはハブの回転軸の垂線に平行な直線運動をするように支持部材(5)に対して横方向に案内される請求項１〜３のいずれか一項に記載の車両。
【請求項５】
ホイールキャリアが支持部材(5)内で摺動する単一のバー(55)を介して支持部材(5)に支持され、ホイールキャリアはバー(55)の両端に取り付けられ、このバー(55)がホイール(2)のリムによって周囲が区画された容積内に配置され、上記サスペンション装置が支持部材(5)に対してホイールキャリアの動きを制御する手段を有する請求項４に記載の車両。
【請求項６】
上記キャンバ機構が車両の前後方向軸線に対して垂直な垂直面から見た時に平行四辺形を形成し、この平行四辺形の２つの頂点が支持部材(5)上の２つの取付ポイント(50、52)によって形成され、この一方は他方の垂直上側に配置され、この平行四辺形の２辺はアーム(70)およびこれに平行なロッド(75)によって形成され、このアームおよびロッドの端は取付ポイント(50、52)にある請求項１〜５のいずれか１項に記載の車両。
【請求項７】
アーム(70)が少なくとも２つの平行で水平方向に離れた垂直軸（CC'およびDD'）の所でシャシ(1)に取付けられ、これらの垂直軸は水平面内で見た時に平行四辺形を形成する水平サスペンション機構の頂点を構成し、他の２つの頂点はシャシ(1)上にある請求項６に記載の車両。
【請求項８】
（1）  シャシ(1)に対して可変なロール角を形成するよう、縦方向軸線を中心として傾斜できるようにシャシ(1)に取付けられた乗客の輸送用車室と、
（2）  上記ロール角をキャンバと同じ方向に与えるよう動作するシャシ(1)と車室との間に置かれた機械手段と、
（3）  記録された値の関数としてロール角を計算するための計算手段とを備え、上記機械手段が上記計算手段の制御下で作用する請求項２〜７のいずれか一項に記載の車両。
【請求項９】
キャンバ制御手段が、シャシ(1)と車室との間に置かれた機械手段によって、ホイール(2)のキャンバの変化と車室のロール角の変化とが同期するように駆動される請求項８に記載の車両。
【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
近位端、遠位端及びそれらを貫通する通路を有するカニューレスリーブと、前記スリーブの前記通路と一直線上にある開口を有し前記スリーブの前記近位端に配置されるカニューレハウジングとを備えたカニューレアセンブリと、前記カニューレアセンブリ内に挿入可能であり、ハンドルと、前記ハンドルに接続された近位端と前記近位端と反対側の遠位端を有する閉塞具シャフトと、前記閉塞具シャフトの前記遠位端に配置された穿刺用先端を備えた閉塞具アセンブリとを具備する手術用トロカールにおいて、
遠位端を有するとともに、保護位置にて前記閉塞具シャフトの前記穿刺用先端を覆うために前記閉塞具シャフトの周囲にスライド可能に配置された保護具であって、前記閉塞具シャフトの前記穿刺用先端を通すことができるように孔を前記遠位端に有する保護具を具備し、
近位側への力を前記保護具にかけた時、前記保護具孔と前記スリーブ遠位端を越えて前記穿刺用先端を露出させるために、前記保護具が前記保護位置から引き込み位置まで前記保護具を移動できるように、前記ハンドルに対して移動でき、前記近位側への力を前記保護具から解除する時、前記保護具が前記保護位置に戻るフレキシブルな近位端を有することを特徴とする手術用トロカール。
【請求項２】
前記保護具の前記フレキシブルな近位端は、前記ハンドルのコンタクト部分に対してスライド移動可能である少なくとも一つの可撓性アームを備える請求項１記載の手術用トロカール。
【請求項３】
前記保護具の前記フレキシブルな近位端は、前記ハンドルのコンタクト部分に対してスライド移動可能である１対の可撓性アームを備える請求項２記載の手術用トロカール。
【請求項４】
前記コンタクト部分は第１ランプ面を備え、各可撓性アームは、前記コンタクト部分の前記第１ランプ面に対してスライド移動するために各アームの近位端に端面を備える請求項３記載の手術用トロカール。
【請求項５】
前記コンタクト部分はさらに、前記第１ランプ面に隣接する第２ランプ面を備え、各可撓性アームは、前記第２ランプ面に対してスライド移動するために前記端面に隣接する内面を備える請求項４記載の手術用トロカール。
【請求項６】
前記保護具を前記引き込み位置まで引き込んだ時に、前記ハンドルに接触するためのボスを前記保護具に備える請求項５記載の手術用トロカール。
【請求項７】
前記ハウジングの前記開口に配置されたシールアセンブリを備える請求項６記載の手術用トロカール。
【請求項８】
前記ハウジングは少なくとも１つのスロットを備え、前記ハンドルは、前記ハウジングにそのハンドルをロックするために、前記少なくとも１つのスロットと取外し可能に取付けられる少なくとも１つのピンを備える請求項７記載の手術用トロカール。
【請求項９】
前記穿刺用先端はフラットブレードを備える請求項８記載の手術用トロカール。
【請求項１０】
前記保護具は、前記保護具の前記遠位端に拡張先端部を備える請求項９記載の手術用トロカール。
【請求項１１】
前記スリーブは前記スリーブの外面に螺旋捻子山を備える請求項１０記載の手術用トロカール。
【請求項１２】
前記閉塞具アセンブリを前記カニューレアセンブリ内へ挿入する時、前記ハンドルが前記ハウジングと接触すると、前記近位側への力がかけられる請求項１記載の手術用トロカール。
【請求項１３】
開口とコンタクト部分とを有するハンドルと、
前記ハンドル開口を通して延在し、前記ハンドルに固定される近位端と、穿刺用先端を有する遠位端とを有する閉塞具シャフトと、
前記閉塞具シャフトの前記穿刺用先端を通すことができるようにその遠位端に孔を有するとともに、近位側への力を前記保護具にかけた時、前記穿刺用先端を露出させるために、前記保護具を前記保護位置から前記ハンドルの前記コンタクト部分に対して引き込み位置まで移動可能で、前記近位側への力を前記保護具から解除する時、前記保護具が前記保護位置に戻るフレキシブルな近位端も有しており、前記閉塞具シャフトの前記穿刺用先端を保護位置にて覆うために前記閉塞具シャフト周囲にスライド可能に配置され、前記ハンドル開口を通して延在する保護具とを具備する閉塞具アセンブリ。
【手続補正書】
【提出日】平成16年7月2日(2004.7.2)
【手続補正１】
【補正対象書類名】明細書
【補正対象項目名】特許請求の範囲
【補正方法】変更
【補正の内容】
【特許請求の範囲】
【請求項１】
前屈もしくは中腰姿勢における上体を支えるための部材と、
該部材を支持し、ピストンロッドの突出量を調節可能なロック機構を有したガススプリングと、
該ガススプリングを支持する折り畳み可能な構造体と、
該構造体を移動可能に支持する移動機構と、
当該移動を阻止するための移動阻止機構と、
を具えたことを特徴とする上体支持装置。
【請求項２】
前記構造体は、前記移動機構が取り付けられるベースフレームと、前記ガススプリングを支持するための支持部および前記ベースフレームに回動可能に支持される一対の被支持部を設けたスプリング支持フレームと、該スプリング支持フレームに結合可能に前記ベースフレームに設けられ、当該結合状態において前記スプリング支持フレームの前記ベースフレームに対する回動を阻止する部材とを有することを特徴とする請求項１に記載の上体支持装置。
【手続補正２】
【補正対象書類名】明細書
【補正対象項目名】０００３
【補正方法】変更
【補正の内容】
【０００３】
ベッドにいる被介護者に対して介護を行う場合、介護者は前屈みあるいは中腰にて作業を行うことが多く、そのためそのような作業を長時間あるいは頻繁に行う介護者には蓄積疲労による腰痛に罹る者が多い。特に病院などの医療機関等に備え付けられているベッドは万一の落下に備えて高さが低く抑えられているので、介護者が強いられる負担は一層甚だしいものとなる。介護を前提としたベッドの中には、昇降可能に構成されて介護あるいは診療を受ける場合にはこれを高くして所要の作業を行い易くしたものもあり、これによって介護者の負担は幾分軽減されるとも考えられるが、介護の都度ベッドを昇降させていたのでは多忙な介護者にとって到底煩に耐えず、実際はベッドを低くしたまま介護作業を行っている場合が殆どであると考えられる。
【手続補正３】
【補正対象書類名】明細書
【補正対象項目名】０００４
【補正方法】変更
【補正の内容】
【０００４】
【発明が解決しようとする課題】
本発明は、このような問題に鑑みてなされたもので、介護者等前屈み・中腰にて作業を行うことの多い者が被る負担を軽減し、さらにその作業性を向上することを目的とする。
【手続補正４】
【補正対象書類名】明細書
【補正対象項目名】０００５
【補正方法】変更
【補正の内容】
【０００５】
【課題を解決するための手段】
そのために、本発明は、前屈もしくは中腰姿勢における上体を支えるための部材と、該部材を支持し、ピストンロッドの突出量を調節可能なロック機構を有したガススプリングと、該ガススプリングを支持する折り畳み可能な構造体と、該構造体を移動可能に支持する移動機構と、当該移動を阻止するための移動阻止機構と、を具えたことを特徴とする。
【手続補正５】
【補正対象書類名】明細書
【補正対象項目名】０００６
【補正方法】変更
【補正の内容】
【０００６】
ここで、前記構造体は、前記移動機構が取り付けられるベースフレームと、前記ガススプリングを支持するための支持部および前記ベースフレームに回動可能に支持される一対の被支持部を設けたスプリング支持フレームと、該スプリング支持フレームに結合可能に前記ベースフレームに設けられ、当該結合状態において前記スプリング支持フレームの前記ベースフレームに対する回動を阻止する部材とを有するものとすることができる。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】００１１
【補正方法】変更
【補正の内容】
【００１１】
これらの図において、１はピローであり、破線で示した介護者Ｎの胸部ないし腹部に当接してその上体を支えるための部材である。このピロー１としては、気体、液体、ゲル状物質、粒状体、線状体、ゴム、発泡体、またはそれらのいずれかの適切な組み合わせ等、適宜のクッション材を内包し、腹部ないし胸部に当接して介護者の上体を支えたときに不快感や疲労感を与えない形態および形状のものとするのが強く望ましい。たとえば、エアの充填・放出を可能としたものにあっては、当該充填・放出によってクッションの堅さを調節することができる。また、ゲル状物質を封入したものにあっては、介護者の胸部ないし腹部の形状に沿って変形することで介護者に所謂「フィット感」を与えることができる。
【手続補正９】
【補正対象書類名】明細書
【補正対象項目名】００３０
【補正方法】変更
【補正の内容】
【００３０】
【発明の効果】
以上説明したように、本発明によれば、介護者等前屈み・中腰にて作業を行うことの多い者が被る負担を軽減し、さらにその作業性を向上することができる。
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
超音波を被検体内の所定方向へ繰り返し送波および受波する超音波探触子と、該超音波振動子が受波した超音波信号を処理するとともに格納する受波データ処理・格納手段と、該受波データ処理・格納手段からの出力信号に基づいて超音波画像を経時的にスクロール表示する表示手段とを有する超音波装置であって、
前記出力制御手段は、前記受波データ毎の相関値を計算する相関値演算手段と、該相関値を格納する相関値格納手段とを具備し、前記超音波画像のスクロール速度に応じて、前記出力制御手段は前記相関値を前記出力信号として前記表示手段に出力することを特徴とする超音波装置。
【手続補正２】
【補正対象書類名】明細書
【補正対象項目名】００１０
【補正方法】変更
【補正の内容】
【００１０】
【課題を解決するための手段】
超音波を被検体内の所定方向へ繰り返し送波および受波する超音波探触子と、該超音波振動子が受波した超音波信号を処理するとともに格納する受波データ処理・格納手段と、該受波データ処理・格納手段からの出力信号に基づいて超音波画像を経時的にスクロール表示する表示手段とを有する超音波装置であって、前記出力制御手段は、前記受波データ毎の相関値を計算する相関値演算手段と、該相関値を格納する相関値格納手段とを具備し、前記超音波画像のスクロール速度に応じて、前記出力制御手段は前記相関値を前記出力信号として前記表示手段に出力する。
【手続補正書】
【提出日】平成16年7月8日(2004.7.8)
【手続補正１】
【補正対象書類名】明細書
【補正対象項目名】特許請求の範囲
【補正方法】変更
【補正の内容】
【特許請求の範囲】
【請求項１】
外周面に複数種の図柄が所定数配列され回転して順次繰り返し図柄を表示窓に表示する回胴が複数並んで配置され、前記全ての回胴の回転を開始させる開始手段と、前記各回胴ごとに回転を停止させる停止手段を備え、停止した各回胴の表示窓の入賞ライン上に並んだ図柄の組み合わせによって配当が決まる図柄組合せ遊戯装置において、
予め決められた入賞の図柄組合せの抽選を行う抽選手段と、
前記停止手段を作動して入賞ラインに当選していない入賞の図柄組合わせを出現させないように前記回胴を停止させる蹴飛ばし処理手段と、
前記停止手段を作動して入賞ラインに当選の図柄組合わせを引き込むように前記回胴を停止させる引込み処理手段と、
前記抽選手段による抽選結果に基づき前記蹴飛ばし処理手段と前記引込み処理手段とを制御して入賞ライン上に並ぶ図柄を決定して出現させる制御手段と、
前記抽選手段により当選しているが前記引込み処理手段による引込みができない場合に出現する図柄組合せのうち当選可能性が高い旨を知らせる図柄組合せを予め複数決めて記憶している記憶手段と、
前記制御手段により出現させた図柄組合せを前記記憶手段が記憶する複数の図柄組合せと照合して一致するものがあるか否かを判断する照合手段と、
前記表示窓とは別に設けられた表示手段と、
前記照合手段が照合の結果一致するものがあると判断した場合に当選可能性が高い状態にあることを前記表示手段に表示させる表示制御手段とを備えることを特徴とする図柄組合せ遊戯装置。
【請求項２】
前記表示制御手段は、前記照合手段が照合の結果一致するものがあると判断した該図柄組合せを前記表示手段に表示させることを特徴とする請求項１記載の図柄組合せ遊戯装置。
【請求項３】
前記表示制御手段は、前記照合手段が照合の結果一致するものがあると判断した図柄組合せが当選した入賞ライン上にない場合は、出現図柄組合せをそのまま前記表示手段に表示させた後に当選した入賞ラインに並べ替えた図柄組合せを表示させることを特徴とする請求項１記載の図柄組合せ遊戯装置。
【請求項４】
外周面に複数種の図柄が所定数配列され回転して順次繰り返し図柄を表示窓に表示する回胴が複数並んで配置され、前記全ての回胴の回転を開始させる開始手段と、前記各回胴ごとに回転を停止させる停止手段を備え、停止した各回胴の表示窓の入賞ライン上に並んだ図柄の組み合わせによって配当が決まる図柄組合せ遊戯装置において、
予め決められた入賞の図柄組合せの抽選を行う抽選手段と、
前記停止手段を作動して入賞ラインに当選していない入賞の図柄組合わせを出現させないように前記回胴を停止させる蹴飛ばし処理手段と、
前記停止手段を作動して入賞ラインに当選の図柄組合わせを引き込むように前記回胴を停止させる引込み処理手段と、
前記抽選手段による抽選結果に基づき前記蹴飛ばし処理手段と前記引込み処理手段とを制御して入賞ライン上に並ぶ図柄を決定して出現させる制御手段と、
前記抽選手段により当選しているが前記引込み処理手段による引込みができない場合に出現する図柄組合せのうち当選可能性が高い旨を知らせる図柄組合せを予め複数決めて記憶している記憶手段と、
前記制御手段により出現させた図柄組合せを前記記憶手段が記憶する複数の図柄組合せと照合して一致するものがあるか否かおよび部分的に一致するものがあるか否かを判断する照合手段と、
前記表示窓とは別に設けられた表示手段と、
前記照合手段が照合の結果一致するものがあると判断した場合に該図柄組合せを前記表示手段に表示させ、前記照合手段が照合の結果部分的に一致するものがあると判断した場合には該図柄組合せを前記表示手段に表示させるとともに不一致の図柄を特殊表示させる表示制御手段とを備えたことを特徴とする図柄組合せ遊戯装置。
【請求項５】
前記表示制御手段は、前記照合手段が照合の結果部分的に一致するものがあると判断した場合に不一致の図柄を点滅表示させることを特徴とする請求項４記載の図柄組合せ遊戯装置。
【請求項６】
外周面に複数種の図柄が所定数配列され回転して順次繰り返し図柄を表示窓に表示する回胴が複数並んで配置され、前記全ての回胴の回転を開始させる開始手段と、前記各回胴ごとに回転を停止させる停止手段を備え、停止した各回胴の表示窓の入賞ライン上に並んだ図柄の組み合わせによって配当が決まる図柄組合せ遊戯装置において、
予め決められた入賞の図柄組合せの抽選を行う抽選手段と、
前記停止手段を作動して入賞ラインに当選していない入賞の図柄組合わせを出現させないように前記回胴を停止させる蹴飛ばし処理手段と、
前記停止手段を作動して入賞ラインに当選の図柄組合わせを引き込むように前記回胴を停止させる引込み処理手段と、
前記抽選手段による抽選結果に基づき前記蹴飛ばし処理手段と前記引込み処理手段とを制御して入賞ライン上に並ぶ図柄を決定して出現させる制御手段と、
前記表示窓とは別に設けられた表示手段と、
前記抽選手段により当選しているが前記引込み処理手段による引込みができない場合に当選可能性が高い状態にあることを前記表示手段に表示させる表示制御手段とを備えることを特徴とする図柄組合せ遊戯装置。
【手続補正２】
【補正対象書類名】明細書
【補正対象項目名】００６４
【補正方法】変更
【補正の内容】
【００６４】
１図柄違いでないすなわち２図柄以上が違う場合はステップ25に進んで、モニターテレビ16には、３行３列の枡目だけを表示して中に図柄を表示しない。
したがってかかる場合、遊戯者はリーチ目が出ず当選の可能性が低いことを知ることができる。
【手続補正３】
【補正対象書類名】明細書
【補正対象項目名】００６８
【補正方法】変更
【補正の内容】
【００６８】
そして中回胴でも右回胴でもなく左回胴の図柄がリーチ目と違う場合はステップ26，ステップ28，ステップ30と進んで、まず出現図柄組合せをモニターテレビ16に表示し、その後１列目の図柄を変えてリーチ目を表示するとともに変えた図柄を点滅させる（図示せず）。
【手続補正４】
【補正対象書類名】図面
【補正対象項目名】図５
【補正方法】変更
【補正の内容】
【図５】
1999028268.tif 000001
【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
浴槽の浴水を汲み上げ循環させて清浄化した後に前記浴槽に再び戻す循環管路中に設けられて、浴水を循環させるための循環ポンプと、前記浴水を加熱するためのヒ−タと、殺菌するための殺菌装置と、前記浴水を清浄化するための濾過タンクとを設けた浴水浄化循環装置を可動架台上に設けて、前記浴水浄化循環装置を前記浴槽の下側に形成される空間部に配置して該空間部をエプロンで閉鎖して前記浴槽にビルトインして構成したことを特徴とするビルトインタイプの浴水浄化循環装置。
【請求項２】
請求項１において、前記可動架台を浴室の洗い場側へ移動可能としたことを特徴とするビルトインタイプの浴水浄化循環装置。
【手続補正２】
【補正対象書類名】明細書
【補正対象項目名】０００４
【補正方法】変更
【補正の内容】
【０００４】
【発明を解決する手段】
そこで発明者は、前記課題を解決すべく、鋭意，研究を重ねた結果、その発明を、浴槽の浴水を汲み上げ循環させて清浄化した後に前記浴槽に再び戻す循環管路中に設けられて、浴水を循環させるための循環ポンプと、前記浴水を加熱するためのヒ−タと、殺菌するための殺菌装置と、前記浴水を清浄化するための濾過タンクとを設けた浴水浄化循環装置を可動架台上に設けて、前記浴水浄化循環装置を前記浴槽の下側に形成される空間部に配置して該空間部をエプロンで閉鎖して前記浴槽にビルトインして構成したビルトインタイプの浴水浄化循環装置としたことにより、前記問題点を解消したものである。
【手続補正３】
【補正対象書類名】明細書
【補正対象項目名】００１３
【補正方法】変更
【補正の内容】
【００１３】
【発明の効果】
請求項１に係る発明においては、浴槽２０の浴水を汲み上げ循環させて清浄化した後に前記浴槽２０に再び戻す循環管路５中に設けられて、浴水を循環させるための循環ポンプ１と、前記浴水を加熱するためのヒ−タ２と、殺菌するための殺菌装置と、前記浴水を清浄化するための濾過タンク４とを設けた浴水浄化循環装置を可動架台２６上に設けて、前記浴水浄化循環装置を前記浴槽２０の下側に形成される空間部２３に配置して該空間部２３をエプロン２８で閉鎖して前記浴槽２０にビルトインして構成したビルトインタイプの浴水浄化循環装置としたことにより、第１に浴槽２０内に給排ユニットやホースを置かずにすみ、浴室空間を広く有効に使うことができ、さらには、浴室内のデザインを損なわないようにできるし、第２に浴槽２０の横のすぐそばに濾過タンク４及び殺菌装置を置くことで浴水の保温効果を大きくできる等の効果を奏する。
【手続補正４】
【補正対象書類名】明細書
【補正対象項目名】００１４
【補正方法】変更
【補正の内容】
【００１４】
また、浴槽２０の内部に収納されるために、外観部品が不要となり、金型費がかからず、外装部品を大幅に節約できる。さらに、浴水浄化循環装置は、浴室内にて処理できるので、浴室の間取りは、家屋のいかなる場所（極端には、部屋の真ん中に配置）でも十分に対応できる利点がある。
【手続補正５】
【補正対象書類名】明細書
【補正対象項目名】００１５
【補正方法】変更
【補正の内容】
【００１５】
請求項２の発明では、請求項１において、前記可動架台２６を浴室の洗い場側へ移動可能としたビルトインタイプの浴水浄化循環装置としたことにより、前記循環ポンプ１、前記ヒータ２及び殺菌装置等が故障等の場合には、適宜浴室の洗い場側に引き出して修理等を簡単に行うことができる。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】